(57)【要約】【課題】フィルタ移動用のモータ等の駆動源が不要な空気調和機を提供する。【解決手段】空気調和機１は、フィルタ２と、接続部８と、駆動力発生機構１１とを備えている。フィルタ２は、空気を濾過する。接続部８は、掃除機の吸込部分と接続できる。駆動力発生機構１１は、掃除機の吸引力により駆動力を発生させ、フィルタ２を移動させることができる。【選択図】図１
2007333366.tif 000002
【特許請求の範囲】
【請求項１】
空気を濾過するフィルタ（２、４２）と、
掃除機の吸込部分と接続できる接続部（８）と、
前記掃除機の吸引力により駆動力を発生させ、前記フィルタ（２、４２）を移動させることができる駆動力発生機構（１１）と
を備えている空気調和機（１、３１）。
【請求項２】
前記接続部（８）と連通しており、前記フィルタ（２、４２）に向く吸込口（７ａ）を有しているノズル部（７）をさらに備えている、
請求項１に記載の空気調和機（１、３１）。
【請求項３】
前記ノズル部（７）と前記接続部（８）との間に接続され、前記ノズル部（７）の吸込口（７ａ）から前記フィルタ（２、４２）に付着した塵を吸い込んで前記掃除機の吸込部分へと流す塵除去空間（９ａ）を内部に有する導通部（９）をさらに備えている、
請求項２に記載の空気調和機（１、３１）。
【請求項４】
前記フィルタ（２、４２）の表面に接触して塵を除去する塵除去手段（１３）をさらに備えている、
請求項１に記載の空気調和機（１、３１）。
【請求項５】
前記フィルタ（２、４２）の表面に接触して塵を除去する塵除去手段（１３）と、
前記フィルタ（２、４２）と前記接続部（８）との間に配置され、前記フィルタ（２、４２）から除去された塵を前記駆動力発生機構（１１）の駆動力を用いて前記接続部（８）へ搬送する塵搬送手段（１４）と
をさらに備えている、
請求項１に記載の空気調和機（１、３１）。
【請求項６】
前記フィルタ（２、４２）に付着した塵を静電気の作用で除去する除電手段（１５）をさらに備えている、
請求項１から５のいずれかに記載の空気調和機（１、３１）。
【請求項７】
少なくとも前記フィルタ（２、４２）の除菌をする活性種を発生させる活性種発生手段（１６）をさらに備えている、
請求項１から６のいずれかに記載の空気調和機（１、３１）。
【請求項８】
前記活性種発生手段（１６）は、プラズマ放電によって活性種を発生させる、
請求項７に記載の空気調和機（１、３１）。
【請求項９】
前記プラズマ放電は、ストリーマ放電である
請求項８に記載の空気調和機（１、３１）。
【請求項１０】
前記活性種発生手段（１６）によって発生された活性種を前記フィルタ（２、４２）に噴霧する活性種噴霧ノズル（１７）をさらに備えている、
請求項７から９のいずれかに記載の空気調和機（１、３１）。
【請求項１１】
前記活性種噴霧ノズル（１７）は、空気調和機の吹出口（１ｂ）に連通する空気取入れ口を有している、
請求項１０に記載の空気調和機（１、３１）。
【請求項１２】
天井に設置される空気調和機（１、３１）であり、
前記フィルタ（４２）は、天井面と平行に配置されている、
請求項１から１１のいずれかに記載の空気調和機（１、３１）。
【請求項１３】
空気清浄機能を有する空気清浄部（３３）をさらに備えている、
請求項１から１２のいずれかに記載の空気調和機（３１）。
【発明の詳細な説明】
【技術分野】
【０００１】
本発明は、フィルタを備えている空気調和機に関する。
【背景技術】
【０００２】
従来より、家庭用の掃除機等を用いてエアフィルタの清掃が可能な空気調和機が提案されている（特許文献１参照）。
【０００３】
特許文献１記載の空気調和機は、シート状のエアフィルタと、エアフィルタを往復走行させるエアフィルタ駆動装置と、エアフィルタに接触してエアフィルタに付着したほこりをエアフィルタから離脱させるブラシと、エアフィルタから離脱したほこりを吸い込むための掃除機の吸込具が連結される吸引部を備えている。エアフィルタ駆動装置は、フィルタを駆動させるためのモータを有している。
【０００４】
かかる構成により、エアフィルタ駆動装置によってエアフィルタを往復させることにより、ブラシがエアフィルタに付着した塵やほこりを離脱させ、その離脱した塵やほこりを、吸引部に連結された掃除機の吸込具から空気調和機外部へ吸い出すことができる。
【特許文献１】特開２００４―１５６７９４
【発明の開示】
【発明が解決しようとする課題】
【０００５】
しかし、特許文献１記載の空気調和機は、エアフィルタを往復走行させるために、モータ等の駆動源が必要である。したがって、空気調和機の部品コストを低減することが困難である。また、製品の小型化やランニングコストの低減も困難である。さらに、モータの耐久性のために信頼性の向上も困難である。
【０００６】
本発明の課題は、フィルタ移動用のモータ等の駆動源が不要な空気調和機を提供することにある。
【課題を解決するための手段】
【０００７】
第１発明の空気調和機は、フィルタと、接続部と、駆動力発生機構とを備えている。フィルタは、空気を濾過する。接続部は、掃除機の吸込部分と接続できる。駆動力発生機構は、掃除機の吸引力により駆動力を発生させ、フィルタを移動させることができる。
【０００８】
ここでは、空気調和機は、掃除機の吸込部分と接続できる接続部と、掃除機の吸引力により駆動力を発生させ、フィルタを移動させることができる駆動力発生機構を備えているので、掃除機の吸引力を利用してフィルタを走行させることが可能である。したがって、フィルタ移動用のモータ等の駆動源が不要になる。
【０００９】
第２発明の空気調和機は、第１発明の空気調和機であって、ノズル部をさらに備えている。ノズル部は、接続部と連通している。ノズル部は、フィルタに向く吸込口を有している。
【００１０】
ここでは、空気調和機は、接続部と連通しており、フィルタに向く吸込口を有しているノズル部をさらに備えているので、掃除機の吸引力を利用して、ブラシなしでフィルタから塵やほこりを除去することが可能である。その結果、空気調和機内部に塵やほこりが残留することによる雑菌やカビ菌の発生を抑制することが可能である。
【００１１】
第３発明の空気調和機は、第２発明の空気調和機であって、導通部をさらに備えている。導通部は、ノズル部と接続部との間に接続されている。導通部は、その内部に塵除去空間を有する。塵除去空間は、ノズル部の吸込口からフィルタに付着した塵を吸い込んで掃除機の吸込部分へと流す空間である。
【００１２】
ここでは、空気調和機は、ノズル部と接続部との間に接続された導通部をさらに備えているので、ノズル部から接続部へ塵やほこりを円滑に流すことができる。しかも、接続部は、導通部を介してノズル部に接続されているので、ノズル部から離れた位置に接続部を設置することが可能になる。
【００１３】
第４発明の空気調和機は、第１発明の空気調和機であって、塵除去手段をさらに備えている。塵除去手段は、フィルタの表面に接触して塵を除去する。
【００１４】
ここでは、空気調和機がフィルタの表面に接触して塵を除去する塵除去手段をさらに備えているので、フィルタからの塵やほこりを除去する性能が高い。
【００１５】
第５発明の空気調和機は、第１発明の空気調和機であって、塵除去手段と、塵搬送手段とをさらに備えている。塵除去手段は、フィルタの表面に接触して塵を除去する。塵搬送手段は、フィルタと接続部との間に配置されている。塵搬送手段は、フィルタから除去された塵を駆動力発生機構の駆動力を用いて接続部へ搬送する。
【００１６】
ここでは、空気調和機は、フィルタの表面に接触して塵を除去する塵除去手段と、フィルタと接続部との間に配置され、フィルタから除去された塵やほこりを駆動力発生機構の駆動力を用いて接続部へ搬送する塵搬送手段とをさらに備えているので、駆動力発生機構の駆動力を用いて接続部へ塵やほこりを円滑に搬送することができる。しかも、塵除去手段から離れた位置に接続部を設置することが可能になる。
【００１７】
第６発明の空気調和機は、第１発明から第５発明のいずれかの空気調和機であって、除電手段をさらに備えている。除電手段は、フィルタに付着した塵を静電気の作用で除去する。
【００１８】
ここでは、空気調和機は、除電手段をさらに備えているので、フィルタに付着した塵を静電気の作用で離脱させることが可能になり、塵やほこりの除去効果を向上させることが可能である。
【００１９】
第７発明の空気調和機は、第１発明から第６発明のいずれかの空気調和機であって、少なくともフィルタの除菌をする活性種を発生させる活性種発生手段をさらに備えている。
【００２０】
ここでは、空気調和機は、少なくともフィルタの除菌をする活性種を発生させる活性種発生手段をさらに備えているので、活性種によってフィルタを除菌することが可能である。
【００２１】
第８発明の空気調和機は、第７発明の空気調和機であって、活性種発生手段は、プラズマ放電によって活性種を発生させる。
【００２２】
ここでは、活性種発生手段がプラズマ放電によって活性種を発生させることによって、高い除菌効果を得ることが可能である。
【００２３】
第９発明の空気調和機は、第８発明の空気調和機であって、プラズマ放電は、ストリーマ放電である。
【００２４】
ここでは、プラズマ放電がストリーマ放電であるので、より除菌効果の高い活性種を生成することが可能である。
【００２５】
第１０発明の空気調和機は、第７発明から第９発明のいずれかの空気調和機であって、活性種噴霧ノズルをさらに備えている。活性種噴霧ノズルは、活性種発生手段によって発生された活性種をフィルタに噴霧する。
【００２６】
ここでは、空気調和機は、活性種発生手段によって発生された活性種をフィルタに噴霧する活性種噴霧ノズルをさらに備えているので、フィルタに活性種を噴霧して効果的にフィルタの除菌を行うことが可能である。
【００２７】
第１１発明の空気調和機は、第１０発明の空気調和機であって、活性種噴霧ノズルは、空気調和機の吹出口に連通する空気取入れ口を有している。
【００２８】
ここでは、活性種噴霧ノズルが空気調和機の吹出口に連通する空気取入れ口を有しているので、空気調和機の吹出口と吸込口との差圧を利用して、活性種噴霧ノズルから活性種を噴霧することが可能になり、噴霧用のファン等が不要になる。
【００２９】
第１２発明の空気調和機は、第１発明から第１１発明のいずれかの空気調和機であって、天井に設置される空気調和機である。フィルタは、天井面と平行に配置されている。
【００３０】
ここでは、空気調和機が天井に設置される空気調和機であり、フィルタが天井面と平行に配置されているので、掃除機の吸込部分が接続部に接続されたときに、駆動力発生機構は、掃除機の吸引力により天井面と平行に配置されたフィルタをノズル部の吸込口の前を順に通過するように走行させることが可能である。したがって、天井設置型の空気調和機においてもフィルタ移動用のモータ等の駆動源が不要になる。
【００３１】
第１３発明の空気調和機は、第１発明から第１２発明のいずれかの空気調和機であって、空気清浄機能を有する空気清浄部をさらに備えている。
【００３２】
ここでは、空気清浄部を備えた空気調和機、すなわち空気清浄機であっても、掃除機の吸込部分と接続できる接続部と、掃除機の吸引力により駆動力を発生させ、フィルタを移動させることができる駆動力発生機構を備えているので、掃除機の吸引力を利用してフィルタを走行させることが可能である。したがって、空気清浄機においてもフィルタ移動用のモータ等の駆動源が不要になる。
【発明の効果】
【００３３】
第１発明によれば、フィルタ移動用のモータ等の駆動源が不要になる。その結果、空気調和機の部品コストを低減することが可能である。また、フィルタ駆動用のモータおよびそれに付随する電気部品も不要なので、空気調和機の小型化も可能である。さらに、フィルタ駆動用のモータのために必要だった電力も不要であるため、空気調和機のランニングコストを低減することが可能である。さらに、フィルタ駆動用のモータおよびそれに付随する電気部品も不要であることによって、これらのモータおよび電気部品の耐久性の影響を受けるから解消され、空気調和機の信頼性が向上する。
【００３４】
第２発明によれば、掃除機の吸引力を利用して、ブラシなしでフィルタから塵やほこりを除去することができる。その結果、空気調和機内部に塵やほこりが残留することによる雑菌やカビ菌の発生を抑制することができる。
【００３５】
第３発明によれば、ノズル部から接続部へ塵やほこりを円滑に流すことができる。しかも、接続部は、導通部を介してノズル部に接続されているので、ノズル部から離れた位置に接続部を設置することができる。
【００３６】
第４発明によれば、フィルタからの塵やほこりを除去する性能が高い。
【００３７】
第５発明によれば、駆動力発生機構の駆動力を用いて接続部へ塵やほこりを円滑に搬送することができる。しかも、塵除去手段から離れた位置に接続部を設置することができる。
【００３８】
第６発明によれば、フィルタに付着した塵を静電気の作用で離脱させることができ、塵やほこりの除去効果を向上させることができる。
【００３９】
第７発明によれば、活性種によってフィルタを除菌することができる。
【００４０】
第８発明によれば、高い除菌効果を得ることができる。
【００４１】
第９発明によれば、より除菌効果の高い活性種を生成することができる。
【００４２】
第１０発明によれば、フィルタに活性種を噴霧して効果的にフィルタの除菌を行うことができる。
【００４３】
第１１発明によれば、空気調和機の吹出口と吸込口との差圧を利用して、活性種噴霧ノズルから活性種を噴霧することが可能になり、噴霧用のファン等が不要になる。
【００４４】
第１２発明によれば、天井設置型の空気調和機においてもフィルタ移動用のモータ等の駆動源が不要になる。
【００４５】
第１３発明によれば、空気清浄機においてもフィルタ移動用のモータ等の駆動源が不要になる。
【発明を実施するための最良の形態】
【００４６】
〔第１実施形態〕
本発明の空気調和機の一実施形態として、図１〜図３に示される壁掛けルームエアコンタイプの空気調和機の室内機１は、主要な構成として、吸込口１ａから吸い込まれる空気を濾過するフィルタ２と、空気と冷媒との間の熱交換を行う３個の熱交換部分３ａ、３ｂ、３ｃを有する熱交換器３と、吸込口１ａから吹出口１ｂへ流れる空気流れを生成するファン４と、フィルタ２に付着した塵やほこりを離脱させる離脱機構６と、駆動力発生機構１１とを備えている。フィルタ２、熱交換器３、ファン４、離脱機構６、および駆動力発生機構１１は、ケース５に収納されている。
【００４７】
＜離脱機構６の構成＞
離脱機構６は、図１〜図３に示されるように、ノズル部７と、接続部８と、導通部９とを有している。離脱機構６は、ノズル部７、接続部８、および導通部９を合成樹脂で一体成形することによって製造されている。
【００４８】
ノズル部７は、フィルタ２に向く吸込口７ａを有している。
【００４９】
接続部８は、導通部９を介してノズル部７と連通しており、掃除機の吸込部分Ｓと接続できる。接続部８は、市販の掃除機の吸込ノズルに対応する開口径（好ましくは、全メーカの吸込ノズルに対応する開口径）を有しており、接続部８と吸込ノズルとの隙間をシールするゴムパッキン（図示せず）を有している。
【００５０】
導通部９は、ノズル部７と接続部８との間に接続されている。導通部９は、ノズル部７の吸込口７ａからフィルタ２に付着した塵を吸い込んで掃除機の吸込部分Ｓへと流す塵除去空間９ａを内部に有する。
【００５１】
したがって、室内機１は、フィルタ２に向く吸込口７ａを有しているノズル部７と、ノズル部７と連通しており、掃除機の吸込部分Ｓと接続できる接続部８とを備えているので、掃除機の吸引力を利用して、ブラシなしでフィルタ２から塵やほこりを除去することが可能である。その結果、空気調和機内部に塵やほこりが残留することによる雑菌やカビ菌の発生を抑制することが可能である。
【００５２】
また、導通部９を備えているので、ノズル部７から接続部８へ塵やほこりを円滑に流すことができ、かつ、ノズル部７から離れた位置に接続部８を設置することが可能になる。
【００５３】
＜フィルタ２を駆動する機構についての説明＞
室内機１は、フィルタ２を駆動するための駆動力発生機構１１をさらに備えている。
【００５４】
駆動力発生機構１１は、掃除機の吸込部分Ｓが接続部８に接続されたときに、掃除機の吸引力によりフィルタ２を移動させる駆動力を発生させる。具体的には、駆動力発生機構１１は、市販の掃除機の吸込具のタービンブラシと同様に、１本または複数本の螺旋状の羽根１１ａを有する円筒状の羽根車から構成されている。円筒状の羽根車は、掃除機の吸引力で回転できるように、比重の軽い材料（軽量の合成樹脂など）によって製造されている。
【００５５】
駆動力発生機構１１は、ループ状のフィルタ２を支持する複数のローラ１２のうちの１つに対して、回転駆動力を伝達できるように連結されている。
【００５６】
したがって、掃除機の吸込部分Ｓが接続部８に接続されたときに、駆動力発生機構１１が掃除機の吸引力によりローラ１２の１つを回転駆動させることによって、複数のローラ１２に掛け回されて配置されたループ状のフィルタ２は、ノズル部７の吸込口７ａの前を順に通過（すなわち、図１における矢印Ｄの方向に走行）するように走行する。
【００５７】
＜第１実施形態の特徴＞
（１）
第１実施形態の室内機１は、掃除機の吸込部分Ｓと接続できる接続部８と、掃除機の吸引力により駆動力を発生させ、フィルタ２を移動させることができる駆動力発生機構１１を備えているので、掃除機の吸引力を利用してフィルタ２をノズル部７の吸込口７ａの前を順に通過するように走行させることが可能である。したがって、フィルタ移動用のモータ等の駆動源が不要になる。
【００５８】
その結果、室内機１の部品コストを低減することが可能である。また、フィルタ駆動用のモータおよびそれに付随する電気部品も不要なので、室内機１の小型化も可能である。さらに、フィルタ駆動用のモータのために必要だった電力も不要であるため、室内機１のランニングコストを低減することが可能である。さらに、フィルタ駆動用のモータおよびそれに付随する電気部品も不要であることによって、これらのモータおよび電気部品の耐久性の影響を受けるから解消され、室内機１の信頼性が向上する。
【００５９】
（２）
第１実施形態の空気調和機の室内機１は、接続部８と連通しており、フィルタ２に向く吸込口７ａを有しているノズル部７をさらに備えているので、掃除機の吸引力を利用して、ブラシなしでフィルタ２から塵やほこりを除去することが可能である。その結果、空気調和機内部に塵やほこりが残留することによる雑菌やカビ菌の発生を抑制することが可能である。
【００６０】
（３）
第１実施形態の空気調和機の室内機１は、ノズル部７と接続部８との間に接続された導通部９をさらに備えているので、ノズル部７から接続部８へ塵やほこりを円滑に流すことができる。しかも、接続部８は、導通部９を介してノズル部７に接続されているので、ノズル部７から離れた位置に接続部８を設置することが可能になる。
【００６１】
〔第２実施形態〕
第１実施形態の室内機１は、掃除機の吸引力だけを用いてフィルタ２の塵やほこりを除去しているが、本発明はこれに限定されるものではない。
【００６２】
すなわち、図４に示される第２実施形態では、室内機１は、フィルタ２の表面に接触して塵を除去する塵除去部１３をさらに備えている。その他の構成については、第１実施形態の室内機１の構成と共通している。
【００６３】
塵除去部１３は、フィルタ２の表面に直接接触することによって、フィルタ２に付着する塵やほこりをフィルタ２の表面から離脱させる。
【００６４】
塵除去部１３は、塵やほこりをフィルタ２の表面から離脱させるのに適した形状または構造を有している。例えば、ブラシなどの毛を有するもの、または合成樹脂または軟質スチール等からなる櫛歯状の部材などが、本発明の塵除去部１３として適用され得る。
【００６５】
したがって、掃除機の吸込部分Ｓが接続部８に接続されたときに、駆動力発生機構１１は、掃除機の吸引力によりフィルタ２をノズル部７の吸込口７ａの前を順に通過（矢印Ｄの方向に走行）するように走行させる。それとともに、塵除去部１３がフィルタ２の表面に直接接触することによって、フィルタ２に付着する塵やほこりは、フィルタ２の表面から離脱する。離脱した塵やほこりは、掃除機の吸引圧力により、ノズル部７、導通部９、接続部８、および掃除機の吸込部分Ｓを通して、室内機１の外部へ吸い出される。
【００６６】
＜第２実施形態の特徴＞
第２実施形態では、室内機１がフィルタ２の表面に接触して塵を除去する塵除去部１３をさらに備えているので、フィルタ２からの塵やほこりを除去する性能が高い。
【００６７】
〔第３実施形態〕
第１実施形態の室内機１は、掃除機の吸引圧力を用いて、塵やほこりをノズル部７から吸い込んだ後に導通部９を通して掃除機の接続部分Ｓまで搬送しているが、本発明はこれに限定されるものではない。
【００６８】
すなわち、図５に示される第３実施形態では、室内機１は、フィルタ２の表面に接触して塵を除去する塵除去部１３と、フィルタ２と接続部８との間に配置され、フィルタ２から除去された塵やほこりを駆動力発生機構１１の駆動力を用いて接続部８へ搬送する塵搬送部１４とをさらに備えている。その他の構成については、第１実施形態の室内機１の構成と共通している。
【００６９】
塵除去部１３は、第２実施形態と同様に、フィルタ２の表面に直接接触することによって、フィルタ２に付着する塵やほこりをフィルタ２の表面から離脱させる。塵除去部１３は、塵やほこりをフィルタ２の表面から離脱させるのに適した形状または構造を有している。例えば、ブラシなどの毛を有するもの、または合成樹脂または軟質スチール等からなる櫛歯状の部材などが、本発明の塵除去部１３に適用され得る。
【００７０】
塵搬送部１４は、フィルタ２から除去された塵やほこりを駆動力発生機構１１の駆動力を用いて接続部８へ搬送する構成になっている。塵搬送部１４は、螺旋状の突条１４ａを有する長尺の丸棒から構成されている。
【００７１】
駆動力発生機構１１は、塵搬送部１４の端部に対して、回転駆動力を伝達できるように連結されている。
【００７２】
したがって、掃除機の吸込部分Ｓが接続部８に接続されたときに、駆動力発生機構１１は、掃除機の吸引力によりフィルタ２を塵除去部１３の前を順に通過（矢印Ｄの方向に走行）するように走行させる。それとともに、塵除去部１３がフィルタ２の表面に直接接触することによって、フィルタ２に付着する塵やほこりは、フィルタ２の表面から離脱する。また、離脱した塵やほこりは、駆動力発生機構１１の駆動力で回転駆動される塵搬送部１４によって、接続部８へ搬送され、最終的に、掃除機の吸込部分Ｓを通して、室内機１の外部へ吸い出される。
【００７３】
＜第３実施形態の特徴＞
第３実施形態では、室内機１が、フィルタ２の表面に接触して塵を除去する塵除去部１３と、フィルタ２と接続部８との間に配置され、フィルタ２から除去された塵やほこりを駆動力発生機構１１の駆動力を用いて接続部８へ搬送する塵搬送部１４とをさらに備えているので、駆動力発生機構１１の駆動力を用いて接続部８へ塵やほこりを円滑に搬送することができる。しかも、塵除去部１３から離れた位置に接続部８を設置することが可能になる。
【００７４】
〔第４実施形態〕
図６に示される第４実施形態の室内機１は、フィルタ２に付着した塵を静電気の作用で除去する除電部１５をさらに備えている。その他の構成については、第１実施形態の室内機１の構成と共通している。
【００７５】
除電部１５は、フィルタ２に付着した塵を静電気の作用で除去する。除電部１５は、＋−の電荷を与える２つの電極を有している。除電部１５の２つの電極は、例えば、ノズル部７の吸込口７ａ（図１参照）の上下の開口縁にそれぞれ設置される。
【００７６】
＜第４実施形態の特徴＞
第４実施形態の室内機１は、除電部１５をさらに備えているので、フィルタ２に付着した塵を静電気の作用で離脱させることが可能になる。また、静電気による離脱とノズル部７の吸込みとを併用させることも可能である。その結果、塵やほこりの除去効果を向上させることが可能である。
【００７７】
＜第４実施形態の変形例＞
（Ｃ）
上記の第４実施形態では、静電気の作用でフィルタ２の塵を除去する除電部１５の例として、＋−の電荷をフィルタ２に与える２つの電極を有する除電部１５を例にあげて説明したが、本発明はこれに限定されるものではない。他の除電部として、たとえば、アースに接続された導電部をフィルタ２に接触させて除電を行なってもよい。または、後述するプラズマ放電部１６のプラズマ放電により発生した活性種の＋−の電荷のバランスを調整することによりフィルタ２の塵を静電気の作用で除去してもよい。
【００７８】
〔第５実施形態〕
図７に示される第５実施形態の室内機１は、少なくともフィルタ２の除菌をする活性種を発生させる活性種発生手段としてのプラズマ放電部１６、およびプラズマ放電部１６によって発生された活性種をフィルタ２に噴霧する活性種噴霧ノズル１７をさらに備えている。その他の構成については、第１実施形態の室内機１の構成と共通している。
【００７９】
活性種は、少なくともフィルタ２を除菌する。また、活性種は、フィルタ２を除菌するだけでなく、塵やほこりとともに吸い出されることによって、ノズル部７、導通部９、接続部８、および掃除機の吸込部分Ｓも除菌することが可能である。
【００８０】
プラズマ放電部１６は、プラズマ放電によって活性種を発生させる。具体的には、図８に示されるように、プラズマ放電部１６は、ストリーマ放電を行なうために、ケース１６ａと、ストリーマ放電電極１６ｂと、対向電極１６ｃとから構成される。このプラズマ放電部１６において、ストリーマ放電電極１６ｂと対向電極１６ｃとの間に直流、交流、またはパルスの放電電圧が印加されると、ケース１６ａ内部の放電空間１６ｄにおける両電極１６ｂ、１６ｃ間にストリーマ放電が生じ、低温プラズマが生成される。この低温プラズマによって、高速電子、イオン、オゾン、ヒドロキシラジカルなどのラジカル種や、その他の励起分子（励起酸素分子、励起窒素分子、励起水分子）などの活性種が生成される。なお、これらの活性種は、非常にエネルギーレベルが高く、フィルタ２の除菌だけでなく、アンモニア類、アルデヒド類または窒素酸化物などの小さな有機分子を分解および消臭する能力を有する。
【００８１】
また、プラズマ放電部１６は、放電量の制御によって、活性種の生成量を調整することができる
プラズマ放電部１６によって発生された活性種は、活性種噴霧ノズル１７によって、フィルタ２に向かって噴霧される。活性種は、図示しないファン等の送風機構によってプラズマ放電部１６から活性種噴霧ノズル１７へ送られる。
【００８２】
＜第５実施形態の特徴＞
（１）
第５実施形態の室内機１は、少なくともフィルタ２の除菌をする活性種を発生させる活性種発生手段としてプラズマ放電部１６をさらに備えているので、活性種によってフィルタ２を除菌することが可能である。
【００８３】
（２）
しかも、プラズマ放電部１６がプラズマ放電によって活性種を発生させることによって、高い除菌効果を得ることが可能である。
【００８４】
（３）
さらに、プラズマ放電がストリーマ放電であるので、より除菌効果の高い活性種を生成することが可能である。
【００８５】
（４）
第５実施形態の室内機１は、プラズマ放電部１６によって発生された活性種をフィルタ２に噴霧する活性種噴霧ノズル１７をさらに備えているので、フィルタ２に活性種を噴霧して効果的にフィルタ２の除菌を行うことが可能である。
【００８６】
＜第５実施形態の変形例＞
第５実施形態では、活性種は、図示しないファン等の送風機構によってプラズマ放電部１６から活性種噴霧ノズル１７へ送られるが、本発明はこれに限定されるものではない。
【００８７】
第５実施形態の変形例として、活性種噴霧ノズル１７は、空気調和機の吹出口１ｂ（図２参照）に連通する空気取入れ口を有してもよい。
【００８８】
この場合、空気調和機の吹出口１ｂと吸込口１ａとの差圧を利用して、活性種噴霧ノズル１７から活性種を噴霧することが可能になり、噴霧用のファン等が不要になる。
【００８９】
〔第６実施形態〕
上記の第１実施形態では、壁掛けルームエアコンタイプの空気調和機の室内機１を例にあげて説明したが、本発明はこれに限定されるものではなく、フィルタ付きの室内機であれば、種々のタイプの室内機についても本発明を適用することが可能である。
すなわち、第６実施形態の室内機１は、図９に示されるように、天井に埋め込んだ状態で設置される空気調和機の室内機（いわゆる、パッケージエアコン）であり、この室内機１は、天井面と平行に配置されたループ状のフィルタ４２を備えている。その他の構成については、図９に示される天井埋込み型の室内機１は、第１実施形態の室内機１と同様に、熱交換器３、ファン４、ケース５、離脱機構６（ノズル部７、接続部８、導通部９）、駆動力発生機構１１、およびローラ１２を備えている。第１実施形態と同様に、駆動力発生機構１１は、掃除機の吸引力により駆動力を発生させ、フィルタ２を移動させることができる。
【００９０】
したがって、掃除機の吸込部分Ｓが接続部８に接続されたときに、駆動力発生機構１１が掃除機の吸引力によりローラ１２の１つを回転駆動させることによって、複数のローラ１２に掛け回されて天井面と平行に配置されたループ状のフィルタ４２は、ノズル部７の吸込口７ａの前を順に通過するように走行する。
【００９１】
＜第６実施形態の特徴＞
（１）
この天井埋込み型の室内機１も、第１実施形態の室内機１と同様に、掃除機の吸込部分Ｓが接続部８に接続されたときに、駆動力発生機構１１は、掃除機の吸引力により天井面と平行に配置されたフィルタ２をノズル部７の吸込口７ａの前を順に通過するように走行させることが可能である。したがって、天井設置型の室内機においてもフィルタ移動用のモータ等の駆動源が不要になるので、部品コストの低減、製品の小型化、ランニングコストの低減、ならびに信頼性の向上が可能になる。
【００９２】
（２）
この天井埋込み型の室内機１も、第１実施形態の室内機１と同様に、フィルタ４２に向く吸込口７ａを有しているノズル部７と、ノズル部７と連通しており、掃除機の吸込部分Ｓと接続できる接続部８とを備えているので、掃除機の吸引力を利用して、ブラシなしでフィルタ４２から塵やほこりを除去することが可能である。その結果、天井に設置される空気調和機内部に塵やほこりが残留することによる雑菌やカビ菌の発生を抑制することが可能である。
【００９３】
（３）
しかも、室内機４１は、ノズル部７と接続部８との間に接続された導通部９をさらに備えているので、ノズル部７から接続部８へ塵やほこりを円滑に流すことができる。しかも、接続部８は、導通部９を介してノズル部７に接続されているので、ノズル部７から離れた位置に接続部８を設置することが可能になる。
【００９４】
〔第７実施形態〕
上記の第１実施形態では、本発明の空気調和機として、空気調和機の室内機１を例にあげて説明したが、本発明はこれに限定されるものではなく、フィルタ付きの空気調和機であれば、種々のタイプの空気調和機についても本発明を適用することが可能である。
【００９５】
したがって、本発明の空気調和機の他の実施形態として、図１０〜１１に示されるような空気清浄機３１は、空気清浄部３３を備えている。その他の構成については、図１０〜１１に示されるような空気清浄機３１は、第１実施形態の室内機１と同様に、ファン４、ケース５、離脱機構６（ノズル部７、接続部８、導通部９）、駆動力発生機構１１、およびローラ１２を備えている。第１実施形態と同様に、駆動力発生機構１１は、掃除機の吸引力により駆動力を発生させ、フィルタ２を移動させることができる。
【００９６】
したがって、掃除機の吸込部分Ｓが接続部８に接続されたときに、駆動力発生機構１１が掃除機の吸引力によりローラ１２の１つを回転駆動させることによって、複数のローラ１２に掛け回されたループ状のフィルタ２は、ノズル部７の吸込口７ａの前を順に通過するように走行する。
【００９７】
＜第６実施形態の特徴＞
第６実施形態の空気清浄機３１では、第１実施形態の室内機１と同様に、掃除機の吸込部分Ｓが接続部８に接続されたときに、駆動力発生機構１１は、掃除機の吸引力によりフィルタ２をノズル部７の吸込口７ａの前を順に通過するように走行させることが可能である。したがって、空気清浄機３１においてもフィルタ移動用のモータ等の駆動源が不要になるので、部品コストの低減、製品の小型化、ランニングコストの低減、ならびに信頼性の向上が可能になる。
【産業上の利用可能性】
【００９８】
本発明は、フィルタを備えている空気調和機（室内機、空気清浄機、その他の空気調和機能を有する機器）であれば、いかなるタイプの空気調和機にも利用することが可能である。したがって、壁掛けルームエアコンタイプの室内機（図１〜図３参照）だけでなく、天井設置タイプ（天井埋込み型および天井吊下げ型の両方）の室内機（図９参照）にも本発明を適用することが可能である。
【図面の簡単な説明】
【００９９】
【図１】本発明の第１実施形態に係わる壁掛けルームエアコンタイプの空気調和機の室内機の内部を正面から見た構成図。
【図２】図１の室内機の縦断面図。
【図３】図１の離脱機構付近の拡大図。
【図４】本発明の第２実施形態に係わる空気調和機の室内機の内部を正面から見た構成図。
【図５】本発明の第３実施形態に係わる空気調和機の室内機の内部を正面から見た構成図。
【図６】本発明の第４実施形態に係わる空気調和機の室内機の内部を正面から見た構成図。
【図７】本発明の第５実施形態に係わる空気調和機の室内機の内部を正面から見た構成図。
【図８】図７のプラズマ放電部の構成図。
【図９】本発明の第６実施形態に係わる天井設置型の空気調和機の室内機の内部構成図。
【図１０】本発明の第７実施形態に係わる空気清浄機の内部を正面から見た構成図。
【図１１】図１０の空気清浄機の縦断面図。
【符号の説明】
【０１００】
1   室内機
２、４２  フィルタ
６  離脱機構
７  ノズル部
７ａ  吸込口
８  接続部
９  導通部
１１  駆動力発生機構
１２  ローラ
１５  除電部
１６  プラズマ放電部
１７  活性種噴霧ノズル
３１  空気清浄機
３３  空気清浄部
【図１】
2007333366.tif 000003
【図２】
2007333366.tif 000004
【図３】
2007333366.tif 000005
【図４】
2007333366.tif 000006
【図５】
2007333366.tif 000007
【図６】
2007333366.tif 000008
【図７】
2007333366.tif 000009
【図８】
2007333366.tif 000010
【図９】
2007333366.tif 000011
【図１０】
2007333366.tif 000012
【図１１】
2007333366.tif 000013